【手続補正書】
【提出日】平成25年5月22日(2013.5.22)
【手続補正１】
【補正対象書類名】特許請求の範囲
【補正対象項目名】全文
【補正方法】変更
【補正の内容】
【特許請求の範囲】
【請求項１】
ユーザ機器”ＵＥ”（１０）によって実行される方法であって、前記ユーザ機器”ＵＥ”（１０）は、ロングタームエボリューション（ＬＴＥ）キャリアアグリゲーション動作を実行するように構成されており、
前記方法は、アンカーキャリアの共通検索空間（９４）におけるＰＤＣＣＨを復号することのみにより、ブラインド復号の回数を低減することを含む、方法。
【請求項２】
前記アンカーキャリアの共通検索空間におけるＰＤＣＣＨを復号することのみの動作は、非アンカーキャリアの共通検索空間におけるＰＤＣＣＨを復号することを控えることを含む、請求項１に記載の方法。
【請求項３】
前記アンカーキャリアの共通検索空間におけるＰＤＣＣＨを復号することのみの動作は、非アンカーキャリアの共通検索空間のみに対するＰＤＣＣＨのみを無視することを含む、請求項１に記載の方法。
【請求項４】
前記ブラインド復号の回数は、各非アンカーキャリアに対して、サブフレームあたり約１２回分、低減される、請求項１〜請求項３のいずれか一項に記載の方法。
【請求項５】
前記ブラインド復号の回数が、サブフレームあたり約４８回分、低減されるように、前記アンカーキャリアは、４個の非アンカーキャリアとともにアグリゲートされる、請求項４に記載の方法。
【請求項６】
請求項１〜請求項５のいずれか一項に記載の方法を実行するように適合されているユーザ機器”ＵＥ”（１０）。
【請求項７】
命令を含むコンピュータ読み取り可能な記憶媒体であって、前記命令は、請求項１〜請求項５のいずれか一項に記載の方法を実行することをユーザ機器”ＵＥ”に行わせる、コンピュータ読み取り可能な記憶媒体。
【手続補正２】
【補正対象書類名】明細書
【補正対象項目名】００１５
【補正方法】変更
【補正の内容】
【００１５】
キャリアアグリゲーションの場合、ＤＣＩメッセージ検索は、採用される各キャリアについて行わなければならない。したがって、システムが５つのＬＴＥキャリア（各キャリアが現在のＬＴＥ設計に従う）を使用する場合、ＵＥは、合計２２０回のブラインド復号のために、キャリア当たりのトラフィックデータサブフレーム毎に潜在的に最高４４回のブラインド復号を行わなければならない。したがって、多数（すなわち、サブフレームにつき２２０）のブラインド復号が必要とされる場合、バッテリ充電が急速に枯渇され得て、処理要件が過剰となる。
本発明は、例えば、以下を提供する。
（項目１）
無線通信システム内におけるアップリンクおよびダウンリンクリソース許可のうちの少なくとも１つを識別するために、ユーザエージェント（ＵＡ）において制御チャネルを処理する方法であって、リソース許可は、制御チャネル要素（ＣＣＥ）サブセットを使用して受信され、各ＣＣＥサブセットは、制御チャネル候補であり、該ＵＡは、単一キャリア動作の期間毎に最大Ｍ個の制御チャネル候補を復号するように構成され、該方法は、ユーザエージェントにおいて、
Ｃ個のキャリア間で配信されるＮ個の制御チャネル候補を識別するステップであって、Ｎは、ＭｘＣ未満である、ステップと、
アップリンクおよびダウンリンクリソース許可のうちの少なくとも１つを識別するために、該Ｎ個の識別された制御チャネル候補の各々の復号を試みるステップと、
制御チャネル候補の復号が成功した場合に、通信を促進するために、該アップリンク許可および該ダウンリンク許可のうちの１つを使用するステップと
を含む、方法。
（項目２）
Ｎ個の制御チャネル候補を識別する前記ステップは、前記Ｃ個のキャリア間で均等に配信される候補を識別するステップを含む、項目１に記載の方法。
（項目３）
Ｎ個の制御チャネル候補を識別する前記ステップは、前記Ｃ個のキャリア間で不均等に配信される候補を識別するステップを含む、項目１に記載の方法。
（項目４）
前記キャリアのうちの１つは、アンカーキャリアとして指定され、他のキャリアは、非アンカー能動キャリアであり、前記識別するステップは、該アンカーキャリアについて、合計Ｐ個の制御チャネル候補を識別することを含み、全ての該非アンカー能動キャリアについては、合計Ｒ個の制御チャネル候補を識別することを含み、該Ｒ個の制御チャネル候補は、該非アンカー能動キャリア間で配信され、ＰとＲとの和は、Ｎに等しい、項目１に記載の方法。
（項目５）
前記Ｒ個の候補は、前記非アンカー能動キャリア間で均等に配信される、項目４に記載の方法。
（項目６）
前記Ｎ個の制御チャネル候補は、前記キャリアの全ての間で均等に配信される、項目４に記載の方法。
（項目７）
前記アンカーキャリアについて識別される制御チャネル候補の総数Ｐは、Ｍである、項目４に記載の方法。
（項目８）
前記識別するステップは、前記キャリアの各々について異なる制御チャネル候補のセットを識別することを含む、項目１に記載の方法。
（項目９）
制御チャネル候補は、少なくとも第１のアグリゲーションレベルおよび第２のアグリゲーションレベル候補を含み、各第１のアグリゲーションレベル候補は、第１の数の前記ＣＣＥを含み、各第２のアグリゲーションレベル候補は、該第１の数のＣＣＥとは異なる第２の数の該ＣＣＥを含み、前記識別するステップは、各アグリゲーションレベルおよび各能動キャリアについて特定の制御チャネルを識別することを含む、項目１に記載の方法。
（項目１０）
Ｎは、Ｍよりも大きい、項目１に記載の方法。
（項目１１）
前記Ｎ個の制御チャネルを識別するステップは、該Ｎ個の制御チャネル候補を動的に識別することを含む、項目１に記載の方法。
（項目１２）
前記動的に識別するステップは、制御チャネル候補を示すアクセスデバイスからのデータを受信することを含む、項目１１に記載の方法。
（項目１３）
アクセスデバイスからデータを受信するステップは、ＤＣＩ形式のメッセージ、ＭＡＣ形式のメッセージ、およびＲＲＣ形式のメッセージのうちの１つを受信することを含む、項目１２に記載の方法。
（項目１４）
識別するステップは、前記キャリアの各々について復号されるべきＭ個よりも多い制御チャネル候補を識別することを含む、項目１に記載の方法。
（項目１５）
前記キャリアのうちの１つは、アンカーキャリアであり、他のキャリアは、非アンカー能動キャリアであり、前記識別するステップは、各非アンカー能動キャリアについてＭ個未満の候補を識別することを含む、項目１に記載の方法。
（項目１６）
無線通信システム内におけるアップリンクおよびダウンリンクリソース許可のうちの少なくとも１つを識別するために、ユーザエージェント（ＵＡ）において制御チャネルを処理する装置であって、リソース許可は、制御チャネル要素（ＣＣＥ）サブセットを使用して受信され、各ＣＣＥサブセットは、制御チャネル候補であり、該ＵＡは、単一キャリア動作の期間毎に最大Ｍ個の制御チャネル候補を復号するように構成され、該装置は、
プロセッサであって、
Ｃ個のキャリア間で配信されるＮ個の制御チャネル候補を識別するステップであって、Ｎは、ＭｘＣ未満である、ステップと、
アップリンクおよびダウンリンクリソース許可のうちの少なくとも１つを識別するために、該Ｎ個の識別された制御チャネル候補の各々の復号を試みるステップと、
制御チャネル候補の復号が成功した場合、通信を促進するために、該アップリンク許可および該ダウンリンク許可のうちの１つを使用するステップと
を行うようにプログラムされる、プロセッサを備える、装置。
（項目１７）
前記プロセッサは、前記Ｃ個のキャリア間で均等に配信される制御チャネル候補を識別することによって、Ｎ個の制御チャネル候補を識別するステップを行うようにプログラムされる、項目１６に記載の装置。
（項目１８）
前記プロセッサは、前記Ｃ個のキャリア間で不均等に配信される制御チャネル候補を識別することによって、Ｎ個の制御チャネル候補を識別するステップを行うようにプログラムされる、項目１６に記載の装置。
（項目１９）
前記キャリアのうちの１つは、アンカーキャリアとして指定され、他のキャリアは、非アンカー能動キャリアであり、前記プロセッサは、該アンカーキャリアについて、合計Ｐ個の制御チャネル候補を識別し、全ての該非アンカー能動キャリアについて、合計Ｒ個の制御チャネル候補を識別することによって、前記識別するステップを行うようにプログラムされ、該Ｒ個の制御チャネル候補は、該能動キャリア間で配信され、ＰとＲとの和は、Ｎに等しい、項目１６に記載の装置。
（項目２０）
前記Ｒ個の候補は、前記非アンカー能動キャリア間で均等に配信される、項目１９に記載の装置。
（項目２１）
前記アンカーキャリアについて識別される制御チャネル候補の総数Ｐは、Ｍである、項目１９に記載の装置。
（項目２２）
Ｎは、Ｍよりも大きい、項目１６に記載の装置。
（項目２３）
前記プロセッサは、前記キャリアに対する制御チャネル候補を示す、アクセスデバイスからのデータを受信することによって、前記識別するステップを行うようにプログラムされる、項目１６に記載の装置。
（項目２４）
アクセスデバイスからデータを受信する前記ステップは、ＤＣＩ形式のメッセージ、ＭＡＣ形式のメッセージ、およびＲＲＣ形式のメッセージのうちの１つを受信するステップを含む、項目２３に記載の装置。
（項目２５）
無線通信システム内においてアップリンクおよびダウンリンクリソース許可のうちの少なくとも１つをユーザエージェントに伝送するために、アクセスデバイスにおいて制御チャネルを処理する方法であって、リソース許可は、制御チャネル要素（ＣＣＥ）サブセットによって特定され、各ＣＣＥサブセットは、制御チャネル候補であり、ＵＡは、単一キャリア動作の期間毎に最大Ｍ個の制御チャネル候補を復号して、リソース許可を識別するように構成され、該方法は、該アクセスデバイスにおいて、
（ｉ）Ｃ個のキャリアと関連付けられるべきＮ個の制御チャネル候補を識別するステップであって、Ｎは、ＭｘＣ未満である、ステップと、
（ｉｉ）ＵＡによって使用されるべき該Ｃ個のキャリアのうちの少なくとも１つに対するアップリンクおよびダウンリンクリソース許可のうちの少なくとも１つを符号化するように、該Ｎ個の制御チャネルサブセット候補のうちの少なくとも１つを選択するステップと、
（ｉｉｉ）アップリンク許可およびダウンリンク許可のうちの該少なくとも１つを符号化するために、該選択された制御チャネル候補を使用するステップと、
（ｉｖ）該選択された制御チャネル候補を介して、該許可を該ＵＡに伝送するステップと
を含む、方法。
（項目２６）
前記選択するステップは、前記Ｃ個のキャリアの各々に対して、前記Ｎ個の制御チャネル候補のうちの少なくとも１つを選択することを含み、前記使用するステップは、該Ｃ個のキャリアの各々に対して、アップリンクおよびダウンリンクリソース許可のうちの少なくとも１つを符号化するために、該選択された制御チャネル候補を使用することを含み、前記伝送するステップは、該選択された制御チャネル候補を介して、該許可を前記ＵＡに伝送することを含む、項目２５に記載の方法。
（項目２７）
前記Ｎ個の制御チャネル候補は、前記Ｃ個のキャリアの各々にＮ／Ｃ個の候補を含む、項目２６に記載の方法。
（項目２８）
キャリアに対して少なくとも１つの制御チャネルを選択するステップは、該キャリア上の制御チャネル候補を選択することを含む、項目２７に記載の方法。